(57)【特許請求の範囲】
【請求項１】
パネル載置台とパネル保持具と固定具とを備え、パネル載置台は、パネルを載置するものであり、側面の長手方向に二本の溝が上下に設けてあり、パネル保持具は、パネルの側面を保持するものであり、パネル載置台に着脱自在であると共にパネル載置台の一方の溝に係合してあり、固定具は、パネル載置台の一方または他方のいずれかの溝に固定するものであり、パネル保持具をパネル載置台の一方の溝に係合してパネル載置台と固定具とでパネル保持具を挟着することを特徴とする搬送パレット。
【請求項２】
パネル載置台とパネル保持具と固定具とを備え、パネル載置台は、パネルを載置するものであり、側面の長手方向に、係合部と係止部がそれぞれ設けてあり、パネル保持具は、パネルの側面を保持するものであり、パネル載置台に対して着脱自在であると共に、パネル載置台の係合部に係合する被係合部を有し、固定具は、パネル載置台の係止部にスライド自在に係止する被係止部を有しており、パネル保持具をパネル載置台の係合部に係合すると共にパネル載置台と固定具とでパネル保持具を挟着して内外方向の抜け出しを不能にしてあり、且つパネル保持具をパネル載置台の係合部と固定具とで保持して上下方向の抜け出しを不能にしてあることを特徴とする搬送パレット。
【請求項３】
パネル載置台は、係止部が係合部の下に位置し、係合部は、下向きの係合片を有しており、パネル保持具は、被係合部が上向きの縦片を有しており、固定具は、上方に開口する押さえ部を有すると共に、係合部の係合片と被係合部の縦片を係合して押さえ部内でパネル保持具を載置することを特徴とする請求項２記載の搬送パレット。
【発明の詳細な説明】
【技術分野】
【０００１】
本発明は、パネルを搬送する搬送パレットに関するものである。
【背景技術】
【０００２】
液晶パネルなどの比較的肉厚の薄いパネルを搬送するときに、図４（ａ）のように、パネル載置台３１の上に載せたパネルＰの四周端部を、パネル載置台３１に固定金具３５で固定したパネル保持具３２で押さえることにより、パネルＰの側端部を保持しながら運ぶ態様の搬送パレットがあった。そして、図４（ｂ）〜（ｆ）のように、パネル保持具３２は、固定金具３５が取り付けてあり、また、パネル載置台３１には、パネル保持具３２を取り付けるための側板３３を有し、側板３３には、固定金具３５の一部を挿通する長孔３７ｂを有し、その側板３３の長孔３７ｂがある内側面には裏板３３ａが設けてあり、裏板３３ａには、固定金具３５の一部を挿通するための長孔３７ａを有し、その長孔３７ａの周囲には内側に突出した凸状をなす係合部３４が設けてある。そして、固定金具３５は、パネル載置台３１の側板３３及び裏板３３ａの各長孔３７ａ，３７ｂに連通するロッド３５ｂと、ロッド３５ｂの一端側に設けてあるロック部材３５ａと、ロッド３５ｂの他端側に設けてあるツマミ３５ｃとからなっており、ロック部材３５ａは、ブロック状をなし、側板３３と裏板３３ａの各長孔３７ａ，３７ｂを挿通するとともに、裏板３３ａ内側面の長孔３７ａの係合部３４と係合する被係合部３８と、長孔３７ａの短辺よりも長く張り出して長孔３７ａからの抜け出しを不能とする張り出し部３９を有している。これにより、ツマミ３５ｃを回したときに、図４（ｄ）〜（ｆ）のように、ロック部材３５ａが裏板３３ａの係合部３４に乗り上げると共に、ロック部材３５ａの被係合部３８と裏板３３ａの係合部３４とが係合し、ロック部材３５ａとパネル保持具３２の間にパネル載置台３１の裏板３３ａを挟着することにより、パネル保持具３２をパネル載置台３１に取り付けるものであった。
【発明の概要】
【発明が解決しようとする課題】
【０００３】
ところが上記のような搬送パレットは、パネル載置台のパネル保持具に孔加工や裏板を設けるものであったから、パネルの厚みや種類、枚数に対応してパネル保持具の固定位置の変更や補強のための固定具の追加等の仕様変更ができず、不都合があった。本発明は、パネルのサイズや枚数に対応してパネルの押さえ位置を適宜調整できる搬送パレットを提供することにある。
【課題を解決するための手段】
【０００４】
本発明のうち請求項１記載の発明は、パネル載置台とパネル保持具と固定具とを備え、パネル載置台は、パネルを載置するものであり、側面の長手方向に二本の溝が上下に設けてあり、パネル保持具は、パネルの側面を保持するものであり、パネル載置台に着脱自在であると共にパネル載置台の一方の溝に係合してあり、固定具は、パネル載置台の一方または他方のいずれかの溝に固定するものであり、パネル保持具をパネル載置台の一方の溝に係合してパネル載置台と固定具とでパネル保持具を挟着することを特徴とする。
【０００５】
本発明の請求項２記載の発明は、パネル載置台とパネル保持具と固定具とを備え、パネル載置台は、パネルを載置するものであり、側面の長手方向に、係合部と係止部がそれぞれ設けてあり、パネル保持具は、パネルの側面を保持するものであり、パネル載置台に対して着脱自在であると共に、パネル載置台の係合部に係合する被係合部を有し、固定具は、パネル載置台の係止部にスライド自在に係止する被係止部を有しており、パネル保持具をパネル載置台の係合部に係合すると共にパネル載置台と固定具とでパネル保持具を挟着して内外方向の抜け出しを不能にしてあり、且つパネル保持具をパネル載置台の係合部と固定具とで保持して上下方向の抜け出しを不能にしてあることを特徴とする搬送パレット。
【０００６】
本発明のうち請求項３記載の発明は、パネル載置台は、係止部が係合部の下に位置し、係合部は、下向きの係合片を有しており、パネル保持具は、被係合部が上向きの縦片を有しており、固定具は、上方に開口する押さえ部を有すると共に、係合部の係合片と被係合部の縦片を係合して押さえ部内でパネル保持具を載置することを特徴とする。
【発明の効果】
【０００７】
本発明のうち請求項１記載の発明によれば、パネル保持具がパネル載置台の側面に対して長手方向に設けた溝に係合する構造であることから、パネルの厚みや種類、枚数の増減に対応してパネル保持具を、パネル載置台側面の任意の位置で且つ任意の個数を固定することができる。また、パネル載置台やパネル保持具に孔加工や裏板による補強も不要となるので、従来に比べて構造が簡単なものとなり製造コストが抑えられる。
【０００８】
本発明のうち請求項２記載の発明によれば、パネル保持具をパネル載置台の手前から挿し込み、固定具をスライドするだけで、パネル保持具をパネル載置台と固定具とで挟着すると共に、簡単な操作でパネル保持具をパネル載置台に設置することができる。また、本発明についても、上記した請求項１同様に、パネル保持具がパネル載置台の側面に対して長手方向に設けた係合部に係合する構造であることから、パネルの厚みや種類、枚数の増減に対応してパネル保持具を、パネル載置台側面の任意の位置で且つ任意の個数を固定することができ、さらに、パネル載置台やパネル保持具に孔加工や裏板による補強も不要となるので、従来に比べて構造が簡単なものとなり製造コストが抑えられる。
【０００９】
本発明のうち請求項３記載の発明によれば、パネル保持具は、上向きの縦片がパネル載置台の下向きの係合片と係合し、係合部の下に位置する固定具に載置されているので、パネル保持具は、上下方向及び前後方向への移動が確実に規制され、さらに、挟着により左右方向への移動が規制されることから強固に固定される。さらに、係合部が下向きの係合片で係合するものであるから、係合部にホコリ等が溜まらず、これにより、ホコリ等が敬遠されるクリーンルーム等でも使用しやすい。また、上記した請求項２と同様に、パネル保持具をパネル載置台の手前から挿し込み、固定具をスライドするだけで、パネル保持具をパネル載置台と固定具とで挟着すると共に、簡単な操作でパネル保持具をパネル載置台に設置することができる。
【図面の簡単な説明】
【００１０】
【図１】（ａ）（ｂ）は、図２中Ｂを拡大して、本実施による搬送パレットのパネル載置台とパネル保持具の係合状態を示す縦断面図である。
【図２】（ａ）は、搬送パレットの平面図であり、（ｂ）は、（ａ）の側面図である。
【図３】（ａ）（ｂ）（ｃ）は、本実施による搬送パネルのパネル載置台とパネル保持具、固定具の取付手順を示す斜視図である。
【図４】本発明の他の実施形態の搬送パレットであり、（ａ）（ｂ）は、パネル載置台とパネル保持具の係合状態を示す縦断面図である。
【図５】（ａ）（ｂ）は、図４に示す搬送パネルのパネル載置台とパネル保持具、固定具の取付手順を示す斜視図である。
【図６】本実施による搬送パレットであり、（ａ）は、要部のみを示す斜視図であり、（ｂ）は、目板の取付手順を示す縦断面図である。
【図７】従来の搬送パレットであり、（ａ）は、平面図であり、（ｂ）（ｃ）は、図４中Ａを拡大して固定金具の使用状態を示す縦断面図であり、（ｄ）〜（ｆ）は、パネル載置台にパネル保持具を取り付ける手順を示す要部拡大斜視図である。
【発明を実施するための形態】
【００１１】
以下に、図面に基づいて本実施による搬送パレットの実施の形態を説明する。
本実施による搬送パレットは、図２（ａ）（ｂ）のように、略水平に寝かせたパネルＰを複数枚重ねて載せるパネル載置台１と、パネル載置台１と係止するパネル保持具２と、パネル保持具２の取付を補助する固定具３とからなっている。
【００１２】
パネル載置台１は、図２（ａ）のように、四周を押出し形材からなる長尺な枠材で組んであり、枠組みした四周の各側面には、図２（ｂ）のように、枠材の長手方向に連続し且つ外側に開放した二本の凹溝が上下に間隔をあけて設けてある。このうちの上側の凹溝は、図１（ａ）（ｂ）のように、パネル保持具２を係合する係合部４であり、凹溝開放側の上部から垂下する係合片５により、凹溝の開放側の略上半分が隠れ、その内周側に袋状の呑込み部６が形成される。また、下側の凹溝は、固定具３を係止する係止部７であり、凹溝の開放側の上部と下部からそれぞれが対向して突出した係止片７ａ，７ｂを有している。
【００１３】
パネル保持具２は、パネルＰの側端部と当接する略垂直なフラット面を有する略矩形状の金属板からなり、上下方向の中間位置でクランク状に屈曲しているとともに、その屈曲した箇所のパネル載置台１側面と対向する内側部には、上向きに突出した被係合部９を有している。また、被係合部９の下部には、下向きに延びる延出片１０を有している（図１（ｂ）参照）。
【００１４】
固定具３は、ブロック状をなしており、パネル載置台１側面と対向する内側部に、上下に且つそれぞれが相反する方向に突出した被係止片８ａ，８ｂを有する被係止部８が設けてあり、また、上部には、上向きに開放した凹溝状をなす押さえ部１２を有している（図１（ｂ）参照）。尚、符号１３は、ガイド部であり、両側端がテーパ状になっており、固定具３をスライドしたときに、そのテーパ部分で案内することでパネル保持具２の延出片１０を受け入れ易くするものである。
【００１５】
パネル載置台１とパネル保持具２との取付手順については、図３（ａ）及び図１もあわせて参照すれば、パネル載置台１の係止部７の長手方向の一端側から、固定具３の被係止部８の上下の被係止片８ａ，８ｂを、パネル載置台１側面の係止部７の上下の係止片７ａ，７ｂにそれぞれ引っ掛ける。次に、図３（ｂ）のように、パネル載置台１の係合部４の正面側からパネル保持具２の被係合部９を呑込み部６に呑込ませた状態で係合片５に引っ掛ける。次に、図３（ｃ）のように、固定具３をパネル保持具２のある位置までスライドさせる。このときに、パネル保持具２の延出片１０を固定具３の押さえ部１２に差し込んで挟着するので、パネル保持具２は、係合状態のみで上下方向と内外方向の抜け出しが不能となると共に、押さえ部１２の挟着力により左右方向に移動不能となることから、特別な固定金具を使用することなくパネル載置台１にパネル保持具２を固定できる。また、パネル保持具２をパネル載置台１から取り外すときは、固定具３をパネル載置台１側面の係止部７からスライドし、固定具３の押さえ部１２とパネル保持具２の延出片１０との挟着状態を解除すれば、固定具３の下方向の抜き出しが可能となるので、固定具３を取り外すことができる。尚、本実施では、あらかじめ固定具３をパネル載置台１に係止しておき、その後、パネル載置台１の正面側からパネル保持具２を係合し、最後にパネル載置台１に係止しておいた固定具３をスライドしてパネル保持具２を挟着させる手順であったが、パネル載置台１にパネル保持具２を係合した後、固定具３をパネル載置台１に係止すると共にパネル保持具２が係合してある場所まで固定具３をスライドし、そのときに固定具３でパネル保持具２を挟着する手順であってもよい。また、本実施による搬送パレットは、上記のように、パネル保持具２をパネル載置台１側面の長手方向に設けた係合部４にスライド自在に係合するものであるから、パネル載置台１とパネル保持具との係合する幅が制限されないので、パネル保持具２のサイズを自由に変更できる。
【００１６】
図４に示すものは、本発明の他の実施形態の搬送パレットであり、パネル保持具２は、パネル載置台１側に張り出すと共に下向きに突出した逆Ｌ字形をなす被係合部９と、被係合部９から垂下し且つその下端部からパネル載置台１側に張り出すと共に下向きに突出した逆Ｌ字形をなす被係止部８とを有している。また、パネル載置台１は、その側面に溝（係合部、係止部）４，７が上下にそれぞれ設けてあり、その二つの溝（係合部、係止部）４，７のうち、固定具３がパネル載置台１の上の溝（係合部）４にスライド自在に取り付けてあり、上の溝（係合部）４内周部の上下には、固定具３を溝（係合部）４内で案内する窪み１４ａ，１４ｂがそれぞれ設けてある。また、上の溝（係合部）４は、溝開放側下部から略垂直に起立する上起立片１５ａにより上の溝（係合部）４の略下半分が隠れて溝開口が狭められており、その内周側に袋状の呑込み部６が形成される。また、下の溝（係止部）７も同様に、溝開口側下部から略垂直に起立する下起立片１５ｂにより下の溝（係止部）７の略下半分が隠れて溝開口が狭められており、その内周側には、パネル保持具２の被係止部８が係止される。固定具３は、下部の幅寸法が細く、上部が幅広に形成してある下向き略Ｌ字状をなしており、図５（ａ）のように、二つの固定具３をパネル載置台１の上の溝（係合部）４に間隔あけて取り付け、次いで、二つの固定具３の間に位置するパネル載置台１の上の溝（係合部）４にパネル保持具２の被係合部９を正面から引っ掛けた後、図５（ｂ）のように、各固定具３をパネル保持具２が取り付けてある位置までそれぞれスライドする。このときに、固定具３と上起立片１５ａとの間でパネル保持具２の被係合部９を挟着することができる（図４参照）。尚、本実施形態のものでは、固定具３がパネル載置台１の上の溝（係合部）４に配置してあり、また、前述した図１に示す実施形態のものでは、固定具３がパネル載置台１の下の溝（係止部）７に配置してあることからもわかるように、パネル保持具２を固定具３とパネル載置台１とで挟着できる構造であれば、固定具３を配置する位置は、パネル載置台１の上下いずれの溝（係合部、係止部）４，７であってもよい。
【００１７】
本発明の搬送パレットを使用するときに、パネル載置台１の上に積載するパネルＰの枚数が嵩む場合には、パネル載置台１に係合するパネル保持具２と固定具３を増やすことによりパネルＰと接する面積に増えるので、パネルＰの端部に加わる負荷を軽減させることができる。また、パネル保持具２がパネル載置台１の側面の長手方向に設けた係合部に係合することから、パネル保持具２の断面形状はそのままにして上記実施形態のものより幅広に形成しても、パネル載置台１の係合部４に係合できるので、パネル保持具２の数を増やした場合と同様、パネルＰと接する面積に増えてパネルＰの端部にかかる負荷を軽減できる。また、本発明の搬送パレットの係合部４、被係合部９、係止部７、被係止部８、あるいは固定具３の形状や大きさは上記実施形態のものに限定するものではなく、また、パネル載置台１にパネル保持具２と固定具３を係止したときに、パネル載置台１と固定具３にパネル保持具２が挟着され、そのときに、固定されたパネル保持具２がパネル載置台１の上下方向及び内外方向に抜け出さないものであればよい。また、上記実施形態では、搬送パレットのすべての構成部品を押出し形材で形成することにより、係合部４と被係合部９、係止部７と被係止部８が形材長手方向に連続して形成されているが、これに替えて、金属板を曲げ加工して同様の構成部品を形成したものでもよい。パネル保持具２や固定具３の大きさや形状については特に限定するものではないが、上記実施形態のように、パネル保持具２の被係合部９の厚みをパネル載置台１の係合部４の係合片５よりも薄く形成すれば、パネル保持具２にパネルＰの過度な荷重が加わったときに、被係合部９が優先的に破損されるので、パネル載置台１側の故障を抑えることができる。また、固定具３は、パネル載置台１の側面でパネル保持具２を挟着できるものであれば、パネル載置台１から着脱しないものであってもよい。また、図６（ａ）のように、パネル載置台１にパネル保持具２と固定具３を取り付けてある箇所以外の係合部４と係止部７に、目板１６を取り付けて係合部４内にホコリが入らないにすることもできる。さらに、上記の目板１６の構造及び取付手順については、図６（ｂ）のように、目板１６は、縦に延びる塞ぎ片１６ａと横に延びる挿込片１６ｂとから略Ｌ字形をなしており、その目板１６の塞ぎ片１６ａの上端には、係合部４の係合片５の下端を受けてそこを軸として目板１６を内外方向に回動させることのできる受部１６ｃが設けてあり、目板１６を回動してその挿込片１６ｂが係合部４内の下端面に差し込まれることにより、塞ぎ片１６ａの受部１６ｃが係合片５の内周側に係止し、これにより、目板１６が抜け出すことなく係合部４を塞ぐことになる。
【符号の説明】
【００１８】
１  パネル載置台
２  パネル保持具
３  固定具
４  係合部（溝）
５  係合片
７  係止部（溝）
８  被係止部
９  被係合部
１２  押さえ部
Ｐ  パネル
【図１】
0005139561.tif 000002
【図２】
0005139561.tif 000003
【図３】
0005139561.tif 000004
【図４】
0005139561.tif 000005
【図５】
0005139561.tif 000006
【図６】
0005139561.tif 000007
【図７】
0005139561.tif 000008